(57)【要約】【課題】食品、飲料、医薬品等を収納した小型容器等の破損し易い容器を保護する高度な緩衝機能を備え、内容物等を記載した説明書等の添付書類を容易に挿入可能とする収容空間を備える包装用箱を提供する。【解決手段】外周壁内において、第１下部緩衝板、第２下部緩衝板、第３下部緩衝板及び第４下部緩衝板が山形状の底部を形成すると共に、第１側部緩衝板、第２側部緩衝板、第３側部緩衝板及び第４側部緩衝板によって四方を囲まれた側部緩衝部を形成し、上部緩衝板が上部緩衝部を形成することを特徴とする包装用箱。【選択図】  図９
2014005047.tif 000002
【特許請求の範囲】
【請求項１】
４枚の外周壁を構成する第１側板から第４側板、側板糊代片、第１側部緩衝板、第２側部緩衝板、第３側部緩衝板、第４側部緩衝板、固着板を、折線を介して横方向に順次連接し、
第１側板、第３側板の下端には、折線を介してそれぞれ第１下部緩衝板、第３下部緩衝板を設け、
第２側板、第４側板の下端には、折線を介してそれぞれ第２下部緩衝板、第４下部緩衝板を設けると共に、第２下部緩衝板、第４下部緩衝板には、折線を介してそれぞれ第２下部糊代片、第４下部糊代片を設け、
前記第１側板から第４側板におけるいずれかの側板の上端には、折線を介して上蓋を設けると共に、前記上蓋の上端に折線を介して差し込み片を設け、
前記第１側部緩衝板から第４側部緩衝板の少なくとも１の側部緩衝板の上端には、折線を介して上部緩衝板を設けてなり、
前記第１側部緩衝板から第４側部緩衝板におけるいずれかの側部緩衝板には、折線を支軸として回動可能なヒンジ構造の固着片が設けられており、
前記各折線にしたがって各構成板及び構成片を折曲し、所定箇所を貼着して組み立てることにより、
前記外周壁内において、前記第１下部緩衝板、第２下部緩衝板、第３下部緩衝板及び第４下部緩衝板が山形状の下部緩衝部を形成すると共に、
第１側部緩衝板、第２側部緩衝板、第３側部緩衝板及び第４側部緩衝板によって四方を囲まれた側部緩衝部を形成し、
前記上部緩衝板が上部緩衝部を形成することを特徴とする包装用箱。
【請求項２】
前記側部緩衝部と前記第１側板以外の前記側板との間に当該側板の鉛直方向に沿うようにして収容空間を形成したことを特徴とする請求項１に記載の包装用箱。
【請求項３】
前記第２側部緩衝板と前記第３側部緩衝板との間の折線を支軸として、回動可能な固着片が設けられ、前記折線が、前記第３側板の略中央に位置する状態で、前記固着片が前記第３側板に貼着し、前記側部緩衝部と前記第４側板との間に、前記収容空間を形成したことを特徴とする請求項１又は請求項２に記載の包装用箱。
【発明の詳細な説明】
【技術分野】
【０００１】
本発明は、食品、飲料、医薬品等を収納した小型容器等の破損し易い容器を保護する緩衝機能を備えた包装用箱に関するものである。
【背景技術】
【０００２】
従来より、内部にパッキン等の充填物を設けず、外部からの衝撃等による破損を防止する緩衝機能を備えた包装用箱が公知である。
【０００３】
例えば、箱本体の内部の中空部に、後側板に固着された固着板の内面に貼着板を固着し、後側板と相対する前側板の内面中央付近に内前板の保持片を固着し、各側板から遊離して浮いた状態で、保護板による断面正方形状の保持部を形成し、底部に右・左緩衝部によりなる底部緩衝部を形成する包装用箱が公知である（特許文献１参照）。
【０００４】
これにより、包装用箱に収納される小型容器の底部を底部緩衝部に載置し、当該胴部を内部に浮いた状態の保持部で保持している為、外部からの衝撃等による破損を防止することができるものである。
【先行技術文献】
【特許文献】
【０００５】
【特許文献１】実登第３０１１８７６号
【発明の概要】
【発明が解決しようとする課題】
【０００６】
しかしながら、上記構造では、包装用箱における内部の略中央部に断面正方形状の保持部を設けることから、四方の各側板との間隙が極めて狭くなるものであった。よって、小型容器内の内容物等を記載した説明書等の添付書類を挿入する為には、添付書類を略コ字状に折曲して小型容器の上方から覆設するようにしなければ収納することができないものであった。係る際には、自動梱包機での梱包作業に適合しない虞があり、作業効率の低減が懸念されるものであった。
【０００７】
また、上記構造の包装用箱における上部は上蓋と左右の内蓋のみからなるため、上下方向の衝撃に対して十分な緩衝機能を有するものではなかった。
【０００８】
さらに、底部緩衝部は、箱状の左右緩衝部からなるものであるため、組み立て作業の効率が悪いものであった。
【０００９】
そこで、本発明はこのような問題点を解決するものであって、食品、飲料、医薬品等を収納した小型容器等の破損し易い容器を保護する高度な緩衝機能を備え、内容物等を記載した説明書等の添付書類を容易に挿入可能とする収容空間を備えると共に、組み立て作業の効率が向上する包装用箱を提供することを課題とする。
【課題を解決するための手段】
【００１０】
上述した課題を解決すべく本発明では、下記の手段を講じている。
【００１１】
本発明の包装用箱は、４枚の外周壁を構成する第１側板から第４側板、側板糊代片、第１側部緩衝板、第２側部緩衝板、第３側部緩衝板、第４側部緩衝板、固着板を、折線を介して横方向に順次連接し、第１側板、第３側板の下端には、折線を介してそれぞれ第１下部緩衝板、第３下部緩衝板を設け、第２側板、第４側板の下端には、折線を介してそれぞれ第２下部緩衝板、第４下部緩衝板を設けると共に、第２下部緩衝板、第４下部緩衝板には、折線を介してそれぞれ第２下部糊代片、第４下部糊代片を設け、前記第１側板から第４側板におけるいずれかの側板の上端には、折線を介して上蓋を設けると共に、前記上蓋の上端に折線を介して差し込み片を設け、前記第１側部緩衝板から第４側部緩衝板の少なくとも１の側部緩衝板の上端には、折線を介して上部緩衝板を設けてなり、前記第１側部緩衝板から第４側部緩衝板におけるいずれかの側部緩衝板には、折線を支軸として回動可能なヒンジ構造の固着片が設けられており、前記各折線にしたがって各構成板及び構成片を折曲し、所定箇所を貼着して組み立てることにより、前記外周壁内において、前記第１下部緩衝板、第２下部緩衝板、第３下部緩衝板及び第４下部緩衝板が山形状の下部緩衝部を形成すると共に、第１側部緩衝板、第２側部緩衝板、第３側部緩衝板及び第４側部緩衝板によって四方を囲まれた側部緩衝部を形成し、前記上部緩衝板が上部緩衝部を形成するものである。
【００１２】
前記側部緩衝部と前記第１側板以外の前記側板との間に当該側板の鉛直方向に沿うようにして収容空間を形成することができる。
【００１３】
前記第２側部緩衝板と前記第３側部緩衝板との間の折線を支軸として、回動可能な固着片が設けられ、前記折線が、前記第３側板の略中央に位置する状態で、前記固着片が前記第３側板に貼着し、前記側部緩衝部と前記第４側板との間に、前記収容空間を形成することができる。
【発明の効果】
【００１４】
本発明の包装用箱では、包装用箱の内部に山形状に形成された底部緩衝部にて小型容器の底部を弾性保持した状態で載置し、四方を囲む側部緩衝部にて小型容器の胴部を保持すると共に、上部緩衝部にて小型容器の頭部を保持することで高度な緩衝機能を有することができると共に、組み立て作業の効率が向上できる。
【００１５】
また、収容空間が確保されているため、従来のように添付書類を略コ字状に折曲することなく、容易に添付書類を収容することができる。
【図面の簡単な説明】
【００１６】
【図１】本発明の実施形態における包装用箱を展開した状態の表面図である。
【図２】本発明の実施形態における包装用箱を展開した状態の裏面図である。
【図３】本発明の実施形態における包装用箱を図２に示す状態から折り進めた状態説明図である。
【図４】本発明の実施形態における包装用箱を図３に示す状態から折り進めた状態説明図である。
【図５】本発明の実施形態における包装用箱を図４に示す状態から折り進めた状態説明図である。
【図６】本発明の実施形態における包装用箱を組み立てた状態の斜視図である。
【図７】本発明の実施形態における包装用箱を組み立てた状態の平面図である。
【図８】本発明の実施形態における包装用箱の図７のＡ−Ａ線断面図である。
【図９】本発明の実施形態における包装用箱に小型容器及び添付書類を収納した状態の斜視図である。
【発明を実施するための形態】
【００１７】
以下、本発明の実施形態における包装用箱を図面に基づいて説明する。当該包装用箱において、上蓋１９が設けられる側を当該箱の上方とし、下蓋が設けられる側を当該箱の下方とする。また、展開図において、上下方向を縦とし、左右方向を横とする。また、組み立てた状態の包装用箱は図６において、前側板２側を正面とし、前側板２側から後側板４側を前後方向とする。
【００１８】
本発明に係る包装用箱は、食品、飲料、医薬品等を収納した小型容器Ｂの底部を底部緩衝部に載置し、当該胴部を側部緩衝部にて保持し、当該頭部を上部緩衝部にて保持するとともに、小型容器Ｂ内の内容物等を記載した説明書等の添付書類Ｍを収納することができるものである。当該包装用箱は、一枚のコートボール等の適宜の台紙から形成されており、図１及び図２に示すような展開図からなるものである。図１は、当該包装用箱を展開した状態の表面図であり、図２は、その裏面図である。
【００１９】
図２に示すように、包装用箱は展開した状態において、４枚の外周壁を構成する第１側板、第２側板、第３側板、第４側板、側板糊代片５、第１側部緩衝板６、第２側部緩衝板７、第３側部緩衝板８、第４側部緩衝板９、固着板１０とを折線、ａ、ｂ、ｃ、ｄ、ｅ、ｆ、ｇ、ｈ、ｉを介して横方向に順次連接している。なお、本実施形態においては、右側板１、前側板２、左側板３、後側板４、側板糊代片５、第１側部緩衝板６、第２側部緩衝板７、第３側部緩衝板８、第４側部緩衝板９、固着板１０とを折線、ａ、ｂ、ｃ、ｄ、ｅ、ｆ、ｇ、ｈ、ｉを介して横方向に順次連接している。
【００２０】
また、折線ｆ、ｇ、ｈには適宜の切込みが入っており、折線ｉ上には、両端付近を除いて楕円形の貫通孔１３が設けられ、第４側部緩衝板９と固定板とは、折線ｉの両端付近を介して連接されていることで、組み立てる際に折曲し易くしてある。
【００２１】
本実施形態における右側板１、前側板２、左側板３、後側板４は、略同一形状となるように形成される。第１側部緩衝板６、第２側部緩衝板７、第３側部緩衝板８、第４側部緩衝板９のそれぞれの横寸法は、右側板１等における寸法の略２／３とされる。固着板１０の横寸法は、第１、第２、第３、第４側部緩衝板６、７、８、９における寸法と略同じか僅かに短いものとされる。側板糊代片５の横寸法は、第１、第２、第３、第４側部緩衝板６、７、８、９における寸法の略１．２倍か、添付書類Ｍの厚さ分程度長く形成される。また、図２に示すように固定板の裏面部は、糊等が塗布される貼着部Ｐとされる。
【００２２】
第１側部緩衝板６、第２側部緩衝板７、第３側部緩衝板８及び第４側部緩衝板９は、小型容器Ｂにおける胴部の四方を囲み保持する側部緩衝部を構成するものである。
【００２３】
図２に示すように、右側板１及び左側板３には、それぞれ上端に折線ｊ、ｋを介して内蓋を構成する上内蓋１８（１８ａ、１８ｂ）が設けられる。一方、下端には折線ｓ、ｕを介して第１下部緩衝板１４、第３下部緩衝板１６が設けられる。
【００２４】
第１下部緩衝板１４、第３下部緩衝板１６は略台形形状とされる。
【００２５】
前側板２には、下端に折線ｔを介して第２下部緩衝板１５が設けられ、更に、第２下部緩衝板１５には折線ｗを介して第１下部糊代片１５ａが設けられる。図２に示すように第１下部糊代片１５ａの裏面部は、糊等が塗布される貼着部Ｐとされる。
【００２６】
後側板４には、上端に折線ｌを介して上蓋１９が設けられ、更に上蓋１９の上端には折線ｒを介して差し込み片２０が設けられる。一方、下端には折線ｖを介して第４下部緩衝板１７が設けられ、更に、第４下部緩衝板１７には折線xを介して第４下部糊代片１７ａが設けられる。図２に示すように第４下部糊代片１７ａの裏面部には、糊等が塗布される貼着部Ｐとされる。
【００２７】
第２下部緩衝板１５、第４下部緩衝板１７は略三角形形状で、折線ｗ、折線ｘを介してそれぞれ略三角形形状の第２下部糊代片１５ａ、第４下部糊代片１７ａが連接されている。図２に示すように、第２下部緩衝板１５と第２下部糊代片１５ａのそれぞれの下端側で交わる付近に略Ｖ字形状の第１切欠き部Ａを設けている。同様に、第４下部緩衝板１７と第４下部糊代片１７ａのそれぞれの下端側で交わる付近に略Ｖ字形状の第２切欠き部Ｂを設けている。
【００２８】
そして、図２に示すように、右側板１と左側板３の横幅の長さをそれぞれＬ１とし、前側板２の下縁から切欠き部Ａまでの長さをＬ２、後側板４の下縁から切欠き部Ｂまでの長さをＬ３とした場合、（Ｌ２＋Ｌ３）＞Ｌ１とされる。
【００２９】
側板糊代片５には、上端に折線ｍを介して、糊付着防止部２１が設けられる。側板糊代片５は、図２に示すように右向きに略凸状形状とし、凸部分の上下の長さは固定板の上下の長さと略同一とされる。糊付着防止部２１は、各折線を折曲することによって組み立てる際、第４上部緩衝板２５の表面部に糊が付着することを防止するものである。図１に示すように側板糊代片５及び糊付着防止部２１の表面部は、糊等が塗布される貼着部Ｐとされる。
【００３０】
第１側部緩衝板６の上端には折線ｎを介して第１上部緩衝板２２が設けられる。具体的には、第１側部緩衝板６の上端辺は山状に形成され、第２側部緩衝板７側の傾斜縁を折線ｎとし、その折線ｎを介して第１上部緩衝板２２が設けられる。
【００３１】
第２側部緩衝板７の上端には折線ｏを介して第２上部緩衝板２３が設けられる。具体的には、第２側部緩衝板７の上端辺は山状に形成され、第１側部緩衝板６側の傾斜縁を折線ｏとし、その折線ｏを介して第２上部緩衝板２３が設けられる。
【００３２】
そして、上記第１上部緩衝板２２と第２上部緩衝板２３とは折線ｙを介して連接され、両板によって、略ハート形状の第１上部支持板２６が形成される。折線ｙには適宜の切込みが入っており、第１上部支持板２６が内側に折曲し易くしている。
【００３３】
同様に、第３側部緩衝板８の上端には折線ｐを介して第３上部緩衝板２４が設けられる。具体的には、第３側部緩衝板８の上端辺は山状に形成され、第４側部緩衝板９側の傾斜縁を折線ｐとし、その折線ｐを介して第３上部緩衝板２４が設けられる。
【００３４】
第４側部緩衝板９の上端には折線ｑを介して第４上部緩衝板２５が設けられる。具体的には、第４側部緩衝板９の上端辺は山状に形成され、第３側部緩衝板８側の傾斜縁を折線ｑとし、その折線ｑを介して第４上部緩衝板２５が設けられる。
【００３５】
そして、上記第３上部緩衝板２４と第４上部緩衝板２５とは折線ｚを介して連接され、両板によって、略ハート形状の第２上部支持板２７が形成される。折線ｚには適宜の切込みが入っており、第１上部支持板２６が内側に折曲し易くしている。
【００３６】
本実施形態では、第２側部緩衝板７には、略台形状の固着片１１が設けられる。固着片１１は第２側部緩衝板７側に切離線１２が設けられ、折線ｇを支軸に回動可能なヒンジ構造となるように形成される。図１に示すように固着片１１の表面部は、糊等が塗布される貼着部Ｐとされる。
【００３７】
固着片１１は、外周壁の内側に貼着することで、側部緩衝部を固定するものであり、折線ｆ、ｇ、ｈを支軸に回動可能なヒンジ構造となる固着片１１であればよく、好ましくは折線ｆ、ｇを支軸に回動可能なヒンジ構造となる固着片１１であればよく、更に好ましくは、折線ｇを支軸に回動可能なヒンジ構造となる固着片１１であればい。
【００３８】
固着片１１の形状、長さは貼着する位置に合わせて適宜変更することができる。
【００３９】
この固着片１１が貼着する位置によって、包装用箱内部での側部緩衝部の固定位置が決まる。
【００４０】
上述した、展開図を図３から図５に示すようにして、各折線にしたがって折曲させ、所定箇所を貼着することによって本実施形態の包装用箱が組み立てられる。
【００４１】
組み立てられた包装用箱は、当該内部に小型容器Ｂの底部を載置する底部緩衝部を形成し、小型容器Ｂの胴部を保持する側部緩衝部を形成し、小型容器Ｂの頭部を保持する上部緩衝部を形成すると共に、小型容器Ｂ内の内容物等を記載した説明書等の添付書類Ｍを収容する収容空間Ｓを形成する。
【００４２】
以下、包装用箱の組み立て順序について、詳細に説明する。
【００４３】
まず、折線ｇに従って第３側部緩衝板８を内側に折曲させる。当該状態において、固着板１０の裏面部の貼着部Ｐを側板糊代片５の裏面部の適宜の位置に貼着する。
【００４４】
次に、折線ｅに従って、さらに内側に折曲させ、図３に示す状態にする。このとき、糊付着防止部２１は第４上部緩衝板２５の表面部に糊が付着することを防ぐ。
【００４５】
次に、図４に示すように、折線ｔ、ｖに従って第２下部緩衝板１５、第４下部緩衝板１７を内側に折曲させると共に、折線ｗ、ｘに従って第１下部糊代片１５ａ、第２下部糊代片１７ａを外側に折曲させる。そして、折線ｓ、ｕに従って第１下部緩衝板１４、第３下部緩衝板１６を内側に折曲させる。
【００４６】
次に、折線ｃに従って後側板４を内側に折曲させる。当該状態において、固着片１１の表面部の貼着部Ｐを左側板３の裏面部に貼着する。このとき、折線ｇは左側面板における横幅の略中央付近に位置する。
【００４７】
最後に、折線ａに従って右側板１を内側に折曲させ、図５に示す状態にする。この状態において、側板糊代片５の表面部の貼着部Ｐを右側板１の裏面部の適宜の位置に貼着する。
【００４８】
当該状態においては、包装用箱は扁平状に折り畳まれた状態となり、輸送、保管の際、スペースを不要とし非常に便利なものとなる。
【００４９】
次に、図５に示す状態において、包装容器の左右方向から力を加えると、右側板１、前側板２、左側板３、及び後側板４がそれぞれ起き上がり、外周壁を形成すると共に、第１側部緩衝板６、第２側部緩衝板７、第３側部緩衝板８及び第４側部緩衝板９もそれぞれ起き上がり、四方を囲む形状の側部緩衝部を形成する。
【００５０】
また、これに伴って、第２下部糊代片１５ａ及び第４下部糊代片１７ａが貼着された、第１下部緩衝板１４及び第３下部緩衝板１６がそれぞれ起き上がり、それに伴い第２下部緩衝板１５及び第４下部緩衝板１７もそれぞれ起き上がることで第１切欠き部Ａと第２切欠き部Ｂとが係合する。当該状態において、外周壁内において第１下部緩衝板１４、第２下部緩衝板１５、第３下部緩衝板１６及び第４下部緩衝板１７が山形状の底部を形成し、図６に示した状態となる。
【００５１】
このようにして組み立てられる包装用箱は、図９に示すように、第１、第２、第３及び第４下部緩衝板１４、１５、１６、１７によって形成された山形状の底部緩衝部に、小型容器Ｂの底部を載置し、第１、第２、第３及び第４側部緩衝板６、７、８、９によって四方を囲まれた側部緩衝部にて小型容器Ｂの胴部を保持すると共に、第１、第２側部緩衝板６、７のそれぞれの上端に設けられた第１、第２上部緩衝板２２、２３（第１上部支持板２６）、第３及び第４側部緩衝板８、９のそれぞれの上端に設けられた第３、第４上部緩衝板２４、２５（第２上部支持板２７）をそれぞれ折曲させた上部緩衝部にて小型容器Ｂの頭部を保持する。
【００５２】
本実施形態では、第１上部支持板２６と第２上部支持板２７とを、それぞれ内側に倒すように折曲させた上部緩衝部にて小型容器Ｂの頭部を保持する構成としているが、上部緩衝部は第１上部支持板２６と第２上部支持板２７のどちらか一方を設ける構成とすることができる。また、第１上部緩衝板２２、第２上部緩衝板２３、第３上部緩衝板２４、第４上部緩衝板２５のいずれか１又は複数の上部緩衝板によって上部緩衝部を構成することもできる。
【００５３】
そして、折線ｇが左側面板における横幅の略中央付近に位置する状態で、固着片１１が左側面板に貼着されていることで、側部緩衝部が前側板２寄りに位置することとなり、側部緩衝部と後側板４の間に所定の間隙が形成される。当該間隙は、添付書類Ｍを収容する収容空間Ｓとされる。
【００５４】
また、側板糊代片５の横寸法が、第１、第２、第３、第４側部緩衝板６、７、８、９における寸法の略１．２倍か、添付書類Ｍの厚さ分程度長く形成されることで、側部緩衝部と後側板４との間に所定の間隙が形成されるため、上述した収容空間Ｓがさらに確保されることとなる。
【００５５】
そして、折線ｊ、ｍを介して上内蓋１８ａ及び上内蓋１８ａに貼着された糊付着防止部２１を内側に折曲し、折線ｋを介して上内蓋１８ｂを内側に折曲させ、折線ｌを介して上蓋１９を内側へ折曲させると共に、折線ｒを介して差し込み片２０を折曲させて包装用箱を閉蓋する。
【００５６】
以上、説明した本発明に係る包装用箱によれば、包装用箱の内部に山形状に形成された底部緩衝部にて小型容器Ｂの底部を弾性保持した状態で載置し、四方を囲む側部緩衝部にて小型容器Ｂの胴部を保持すると共に、上部緩衝部にて小型容器Ｂの頭部を保持することができる。
【００５７】
また、収容空間Ｓが確保されているため、従来のように添付書類Ｍを略コ字状に折曲することなく、容易に添付書類Ｍを収容することができる。なお、従来のように添付書類Ｍを略コ字状に収納することもできる。
【００５８】
更に、上述した組み立て順序により、折線にしたがって各構成板及び構成片を折曲すればよいので、自動製函機（サックマシン）で作製できるものとなり、組み立て作業の効率が向上するうえに、量産化がし易いものとなる。
【００５９】
また、例えば、後側板４、右側板１、前側板２、左側板３、側板糊代片５、第１側部緩衝板６、第２側部緩衝板７、第３側部緩衝板８、第４側部緩衝板９、固着板１０とを折線、ａ、ｂ、ｃ、ｄ、ｅ、ｆ、ｇ、ｈ、ｉを介して横方向に順次連接する事等もできる。
【００６０】
さらに、下部緩衝部を構成する第１下部緩衝板１４、第２下部緩衝板１５、第３下部緩衝板１６及び第４下部緩衝板１７においては、上述した山形状の底部を形成可能な構成であれば、各下部緩衝板の連接位置、構成等上述した実施形態に限らない。
【００６１】
当該発明は、上述の実施形態の構成に限定されるものではなく、形状、寸法、材質を適宜変更して実施することが可能である。また、一部の構成を省略することができるし、一部抽出した構成とすることができるのは勿論である。
【符号の説明】
【００６２】
５      側板糊代片
６      第１側部緩衝板
７      第２側部緩衝板
８      第３側部緩衝板
９      第４側部緩衝板
１０    固着板
１１    固着片
１４    第１下部緩衝板
１５    第２下部緩衝板
１５ａ  第２下部糊代片
１６    第３下部緩衝板
１７    第４下部緩衝板
１７ａ  第４下部糊代片
１９    上蓋
２０    差し込み片
２２〜２５  上部緩衝板
Ｓ      収容空間
【図１】
2014005047.tif 000003
【図２】
2014005047.tif 000004
【図３】
2014005047.tif 000005
【図４】
2014005047.tif 000006
【図５】
2014005047.tif 000007
【図６】
2014005047.tif 000008
【図７】
2014005047.tif 000009
【図８】
2014005047.tif 000010
【図９】
2014005047.tif 000011